(57)【要約】【課題】自主放送のみを視聴対象とする端末ユニット１０を使用して、緊急放送の放映機能を実現する。【解決手段】同軸ケーブルのネットワークＮを介して配信される一般放送を視聴可能なテレビ受像機ＴＶと、ネットワークＮを介して配信される自主放送を選択し、ＡＶ信号Ｓに変換してテレビ受像機ＴＶに出力する端末ユニット１０と、端末ユニット１０に内蔵するリレー１７とを設ける。【選択図】図１
2008092245.tif 000002
【特許請求の範囲】
【請求項１】
同軸ケーブルのネットワークを介して配信される高品位放送を含む一般放送を視聴可能なテレビ受像機と、前記ネットワークを介して配信される自主放送を選択し、ＡＶ信号に変換して前記テレビ受像機の第１の外部入力端子に出力する端末ユニットと、該端末ユニットに内蔵し、前記テレビ受像機の主電源をオンオフするリレーとを備えてなり、前記端末ユニットは、前記ネットワークを介して緊急放送の開始信号を受信すると、緊急放送用の緊急チャンネルを選択するとともに、前記リレーを介して、オフ中の前記テレビ受像機の主電源をオンし、またはオン中の前記テレビ受像機の主電源をオフしてオンすることを特徴とするＣＡＴＶシステムの端末装置。
【請求項２】
前記端末ユニットは、前記ネットワークを介して緊急放送の終了信号を受信すると、前記リレーを介して、前記テレビ受像機の主電源を緊急放送の開始信号の受信前の状態に復元することを特徴とする請求項１記載のＣＡＴＶシステムの端末装置。
【請求項３】
前記端末ユニットは、前記テレビ受像機の主電源を復元するに先き立って、終了画像放送用の終了チャンネルを所定時間だけ選択することを特徴とする請求項２記載のＣＡＴＶシステムの端末装置。
【請求項４】
同軸ケーブルのネットワークを介して配信される高品位放送を含む一般放送を視聴可能なテレビ受像機と、ＬＡＮケーブルのネットワークを介し、要求に応じて配信される自主放送のデータをＡＶ信号に変換して前記テレビ受像機の第１の外部入力端子に出力する端末ユニットと、該端末ユニットに内蔵し、前記テレビ受像機の主電源をオンオフするリレーとを備えてなり、前記端末ユニットは、前記ＬＡＮケーブルのネットワークを介して緊急放送の開始信号を受信すると、緊急放送の画像データを要求し、要求に応じて配信される画像データをＡＶ信号に変換して出力するとともに、前記リレーを介して、オフ中の前記テレビ受像機の主電源をオンし、またはオン中の前記テレビ受像機の主電源をオフしてオンすることを特徴とするＣＡＴＶシステムの端末装置。
【請求項５】
前記端末ユニットは、前記ＬＡＮケーブルのネットワークを介して緊急放送の終了信号を受信すると、前記リレーを介して、前記テレビ受像機の主電源を緊急放送の開始信号の受信前の状態に復元することを特徴とする請求項４記載のＣＡＴＶシステムの端末装置。
【請求項６】
前記端末ユニットは、前記テレビ受像機の主電源を復元するに先き立って、終了画像のデータを要求し、要求に応じて配信される画像データをＡＶ信号に変換して所定時間だけ出力することを特徴とする請求項５記載のＣＡＴＶシステムの端末装置。
【発明の詳細な説明】
【技術分野】
【０００１】
この発明は、地上波ディジタル放送などの高品位放送を含む一般放送の他、有料番組を含む自主放送を視聴することができるＣＡＴＶシステムの端末装置に関する。
【背景技術】
【０００２】
ホテルや旅館等の施設において広く実用されているＣＡＴＶシステムは、テレビ受像機と端末ユニットとを組み合わせて構成する端末装置を使用することにより、ネットワークを介して配信される一般放送の他、同様にして配信される自主放送の番組を視聴することができる。
【０００３】
端末ユニットは、一般放送、自主放送の全チャンネルを選択し得るチューナを内蔵しており、選択されたチャンネルのＡＶ信号（映像信号と音声信号とを総称していう、以下同じ）を特定のチャンネルのテレビ放送信号に変換してテレビ受像機に出力する（たとえば特許文献１）。そこで、視聴者は、端末ユニットのチューナを選択操作することにより、テレビ受像機を介して全チャンネルの番組を視聴することができる。なお、自主放送の番組には、無料放送、有料放送の双方が含まれている。
【０００４】
しかし、このような方式では、端末ユニットに内蔵するチューナは、地上波ディジタル放送などの高品位放送にも対応可能としなければならないので、端末ユニットのコストが過大になりがちである。そこで、テレビ受像機に内蔵のチューナを利用して高品位放送を含む一般放送を視聴させ、端末ユニットを自主放送の視聴に限定する方式も提案されている（特許文献２）。
【特許文献１】特開平８−２２３５１１号公報
【特許文献２】特開２００６−１４８２１２号公報
【発明の開示】
【発明が解決しようとする課題】
【０００５】
かかる従来技術によるときは、端末ユニットは、火災や地震などの緊急事態の発生時に必要な緊急放送の放映機能を備えていないため、緊急放送の放映ニーズに応えることができないという問題があった。
【０００６】
そこで、この発明の目的は、かかる従来技術の問題に鑑み、自主放送のみを視聴対象とする端末ユニットを使用して、緊急放送の放映機能を容易に実現することができるＣＡＴＶシステムの端末装置を提供することにある。
【課題を解決するための手段】
【０００７】
かかる目的を達成するためのこの出願に係る第１発明（請求項１に係る発明をいう、以下同じ）の構成は、同軸ケーブルのネットワークを介して配信される高品位放送を含む一般放送を視聴可能なテレビ受像機と、ネットワークを介して配信される自主放送を選択し、ＡＶ信号に変換してテレビ受像機の第１の外部入力端子に出力する端末ユニットと、端末ユニットに内蔵し、テレビ受像機の主電源をオンオフするリレーとを備えてなり、端末ユニットは、ネットワークを介して緊急放送の開始信号を受信すると、緊急放送用の緊急チャンネルを選択するとともに、リレーを介して、オフ中のテレビ受像機の主電源をオンし、またはオン中のテレビ受像機の主電源をオフしてオンすることをその要旨とする。
【０００８】
なお、端末ユニットは、ネットワークを介して緊急放送の終了信号を受信すると、リレーを介して、テレビ受像機の主電源を緊急放送の開始信号の受信前の状態に復元することができ、テレビ受像機の主電源を復元するに先き立って、終了画像放送用の終了チャンネルを所定時間だけ選択することができる。
【０００９】
第２発明（請求項４に係る発明をいう、以下同じ）の構成は、同軸ケーブルのネットワークを介して配信される高品位放送を含む一般放送を視聴可能なテレビ受像機と、ＬＡＮケーブルのネットワークを介し、要求に応じて配信される自主放送のデータをＡＶ信号に変換してテレビ受像機の第１の外部入力端子に出力する端末ユニットと、端末ユニットに内蔵し、テレビ受像機の主電源をオンオフするリレーとを備えてなり、端末ユニットは、ＬＡＮケーブルのネットワークを介して緊急放送の開始信号を受信すると、緊急放送の画像データを要求し、要求に応じて配信される画像データをＡＶ信号に変換して出力するとともに、リレーを介して、オフ中のテレビ受像機の主電源をオンし、またはオン中のテレビ受像機の主電源をオフしてオンすることをその要旨とする。
【００１０】
なお、端末ユニットは、ＬＡＮケーブルのネットワークを介して緊急放送の終了信号を受信すると、リレーを介して、テレビ受像機の主電源を緊急放送の開始信号の受信前の状態に復元することができ、テレビ受像機の主電源を復元するに先き立って、終了画像のデータを要求し、要求に応じて配信される画像データをＡＶ信号に変換して所定時間だけ出力することができる。
【発明の効果】
【００１１】
かかる第１発明の構成によるときは、テレビ受像機は、それに内蔵するチューナを選択操作することにより、地上波ディジタル放送などの高品位放送を含む一般放送の全チャンネルを視聴することができる。一方、端末ユニットは、一般放送を除く自主放送だけを対象とし、テレビ受像機と共通のリモートコントローラ形の操作器を介して自主放送が選択されると、選択されたチャンネルのＡＶ信号をテレビ受像機の第１の外部入力端子に出力するから、テレビ受像機を介し、端末ユニットにより選択された自主放送のチャンネルの番組を視聴することができる。ただし、テレビ受像機は、自主放送が選択されると同時に、リモートコントローラ形の操作器から一般放送のチャンネル選択、外部入力選択の各コードをこの順に送出することにより、外部入力モードが選択され、第１の外部入力端子が自動的に選択されるように設定されているものとする。
【００１２】
また、端末ユニットは、ネットワークを介してセンタ装置から緊急放送の開始信号を受信すると、緊急放送用の緊急チャンネルを自動選択するとともに、内蔵のリレーを駆動制御することにより、オフ中のテレビ受像機の主電源を強制的にオンし、または、オン中のテレビ受像機の主電源を一時的にオフして再びオンすることにより、テレビ受像機を介して緊急放送の番組を視聴させ、緊急放送の放映機能を実現することができる。ただし、テレビ受像機は、主電源オンにより、外部入力モードが選択され、第１の外部入力端子が自動的に選択されるように設定されているものとする。なお、緊急放送の放送内容は、静止画像、動画像のいずれであってもよく、その組合せであってもよい。また、音声情報を伴っていてもよい。
【００１３】
端末ユニットは、緊急放送の終了信号を受信すると、リレーを介してテレビ受像機の主電源を緊急放送の開始信号の受信前の状態に復元する。すなわち、テレビ受像機は、受信前に主電源オンであったか主電源オフであったかにより、その状態に自動的に復旧させることができる。なお、テレビ受像機の主電源を復元するに先き立って、端末ユニットは、終了画像放送用の終了チャンネルを選択することにより、たとえば緊急状態の解除メッセージを表示する終了画像をテレビ受像機から放映し、一層高度のサービスを提供することができる。ただし、終了画像は、静止画像、動画像のいずれであってもよく、音声情報を伴っていてもよい。
【００１４】
第２発明の構成によるときは、高品位放送を含む一般放送は、同軸ケーブルのネットワークを介して配信され、自主放送は、センタに設置するサーバ装置から、ＬＡＮケーブルのネットワークを介して、要求に応じてデータとして配信される。そこで、このときの端末ユニットは、緊急放送の開始信号を受信すると、緊急放送の画像データをサーバ装置に要求し、要求に応じて配信されるデータをＡＶ信号に変換して出力することにより、テレビ受像機を介して視聴させ、緊急放送の放映機能を実現することができる。内蔵のリレーによるテレビ受像機の主電源のオンオフ制御の内容や、自主放送の選択時や主電源オンの際のテレビ受像機自体の設定動作は、第１発明におけると全く同様である。
【００１５】
なお、端末ユニットは、第１発明と同様に、緊急放送の終了信号を受信した際に、テレビ受像機の主電源を復元し、主電源を復元するに先き立って、終了画像の表示機能を実現することができる。
【発明を実施するための最良の形態】
【００１６】
以下、図面を以って発明の実施の形態を説明する。
【００１７】
ＣＡＴＶシステムの端末装置は、テレビ受像機ＴＶ、端末ユニット１０、リモートコントローラ形の操作器２０を備えてなり（図１）、ＣＡＴＶシステムを構成する同軸ケーブルのネットワークＮに接続されている。
【００１８】
テレビ受像機ＴＶは、図示しないチューナを内蔵しており、ネットワークＮを介して配信される一般放送の全チャンネルを視聴することができる。なお、ネットワークＮは、図示しないセンタ装置から、地上波ディジタル放送などの高品位放送を含む一般放送の他、ネットワークＮに固有の自主放送を配信するものとし、自主放送には、有料放送、無料放送が含まれるものとする。テレビ受像機ＴＶのＲＦ入力端子は、分配器Ｎ1 を介してネットワークＮに接続されている。また、テレビ受像機ＴＶは、操作器２０からの光信号Ｌt を受光する受光部ＴＶa を有し、操作器２０により任意の必要な操作をすることができる。
【００１９】
端末ユニット１０は、分配器Ｎ1 を介してネットワークＮに接続されている。端末ユニット１０の出力は、ＡＶ信号Ｓとして、テレビ受像機ＴＶの複数の外部入力端子のうち、第１の外部入力端子に入力されている。なお、端末ユニット１０は、操作器２０からの光信号Ｌを受光する受光部１１を有し、操作器２０により、任意の必要な操作をすることができる。
【００２０】
テレビ受像機ＴＶの主電源用のコンセントＴＶb は、端末ユニット１０に付設するリセプタクル１８に接続されている。なお、端末ユニット１０には、リレー１７が内蔵されており（図１、図２）、リセプタクル１８は、リレー１７の接点１７ａを介して外部の商用電源ＡＣに接続されている。商用電源ＡＣは、端末ユニット１０の電源としても分岐使用されている。
【００２１】
端末ユニット１０には、チューナ１３が内蔵されている。チューナ１３の入力側は、分配器１６を介して分配器Ｎ1 に接続されており、出力側は、ビデオ処理部１４を介し、ＡＶ信号Ｓとして外部に出力されている。また、受光部１１の出力は、制御部１２を介してチューナ１３、ビデオ処理部１４に個別に接続されている。制御部１２は、モデム１５を介して分配器１６に双方向に接続されており、リレー１７は、制御部１２に接続されている。
【００２２】
操作器２０の表面には、電源キーＫ1 が装備され（図３）、データ放送用のキー群Ｋ2 、地上波アナログ放送の一般放送のチャンネル選択用のキー群Ｋ3 、地上波ディジタル放送、ＢＳ放送の高品位放送のチャンネル選択用のキー群Ｋ4 、有料放送を含む自主放送のチャンネル選択用のキー群Ｋ5 が配列されている。なお、キー群Ｋ3 には、音量キーが含まれている。操作器２０上の各キーを操作すると、対応する光信号Ｌ、Ｌt が発光部２１から送出され、それぞれテレビ受像機ＴＶ、端末ユニット１０に対し、必要な操作を実行させることができる。
【００２３】
テレビ受像機ＴＶは、操作器２０のキー群Ｋ3 、Ｋ4 に属する各キーを操作することにより、内蔵のチューナを介し、高品位放送を含む一般放送の任意のチャンネルを選択して視聴することができる。なお、このとき、電源キーＫ1 、キー群Ｋ3 に属する音量キー、キー群Ｋ2 に属する各キーが有効であり、キー群Ｋ2 に属するキーを操作することにより、双方向のデータ放送を楽しむこともできる。操作器２０は、これらの各キーを操作することにより、テレビ受像機ＴＶに対し、光信号Ｌt を介して所定のコードを送出することができるからである。なお、テレビ受像機ＴＶは、電源キーＫ1 により、端末ユニット１０のリレー１７を介して主電源をオンオフさせることができる。また、テレビ受像機ＴＶは、ＲＦ入力端子が無信号になっても、主電源オフの状態に自動的に移行しないものとする。
【００２４】
一方、キー群Ｋ5 に属する各キーを操作すると、操作器２０は、端末ユニット１０に対し、光信号Ｌを介して自主放送のチャンネル選択のコードを送出する。そこで、端末ユニット１０の制御部１２は、光信号Ｌのコードを解読し、チューナ１３を介して指定のチャンネルを選択するから、ビデオ処理部１４は、指定のチャンネルのテレビ放送信号をＡＶ信号Ｓに変換して出力する。よって、このときのテレビ受像機ＴＶは、外部入力モードに選択して第１の外部入力端子に入力されるＡＶ信号Ｓを再生することにより、端末ユニット１０によって選択された自主放送が視聴可能となる。
【００２５】
テレビ受像機ＴＶの画面上には、ビデオ処理部１４のオンスクリーンディスプレイ（ＯＳＤ）機能により、必要に応じて制御部１２によって選択するメッセージを併せて表示することができる。また、端末ユニット１０には、有料放送が選択されたとき、ネットワークＮを介して所定の課金制御信号をセンタ装置に送出するために、双方向のモデム１５、分配器１６が組み込まれている。ただし、有料放送視聴の課金処理は、たとえばプリペイドカードによって端末ユニット１０側だけで課金金額を精算し、精算情報のみをセンタ装置に送出してもよい。
【００２６】
操作器２０は、自主放送のチャンネルのいずれかが選択されると、テレビ受像機ＴＶを外部入力モードとし、第１の外部入力端子からのＡＶ信号Ｓを再生させるために、たとえば図４のプログラムフローチャートに従って、テレビ受像機ＴＶ、端末ユニット１０に対してそれぞれ光信号Ｌt 、Ｌを送出する。
【００２７】
すなわち、プログラムは、自主放送のチャンネルのいずれかが選択されることにより起動し、まず、テレビ受像機ＴＶに対し、光信号Ｌt を介して一般放送のチャンネル選択のコードを送出する（図４のプログラムステップ（１）、以下、単に（１）のように記す）。つづいて、プログラムは、端末ユニット１０に対し、光信号Ｌを介して、自主放送のチャンネル選択のコードを送出する（２）。
【００２８】
その後、プログラムは、テレビ受像機ＴＶに対し、光信号Ｌt を介して外部入力選択のコードを送出する（３）。そこで、テレビ受像機ＴＶは、図４のプログラムステップ（１）、（３）により、一般放送のチャンネル選択のコード、外部入力選択のコードをこの順に受光することによって、外部入力モードが選択され、第１の外部入力端子に入力されるＡＶ信号Ｓを再生するように動作する一方、端末ユニット１０は、プログラムステップ（２）により、操作器２０によって選択された自主放送のチャンネルのテレビ放送信号をＡＶ信号Ｓとしてテレビ受像機ＴＶの第１の外部入力端子に入力させる。すなわち、このときのテレビ受像機ＴＶは、選択された自主放送のチャンネルの番組が視聴可能である。
【００２９】
なお、図４のプログラムステップ（１）、（３）において、光信号Ｌt は、操作器２０上のキーの操作時間に拘らず、それぞれのコードを長時間（たとえば０．２〜１秒間、好ましくは０．５秒間程度）繰り返して送出することが好ましい。テレビ受像機ＴＶの動作モードの切替を一層確実にするためである。また、図４のプログラムステップ（２）は、プログラムステップ（１）に先き立って実行してもよく、プログラムステップ（３）の後に実行してもよい。さらに、図４のプログラムステップ（１）〜（３）を実行するに際し、操作器２０からの光信号Ｌt 、Ｌは、それぞれテレビ受像機ＴＶ、端末ユニット１０の受光部ＴＶa 、１１の双方に確実に受光されるものとする。そのため、テレビ受像機ＴＶ、端末ユニット１０の相対位置関係や、受光部ＴＶa 、１１の各受光指向性、操作器２０の発光部２１の発光強度、発光指向性などを適切に設定するものとする。
【００３０】
端末ユニット１０は、ネットワークＮを介して図示しないセンタ装置から緊急放送の開始信号を受信すると、たとえば図５のプログラムフローチャートに従って作動する。ただし、緊急放送の開始信号は、分配器Ｎ1 を介して端末ユニット１０に到達し、分配器１６、モデム１５を介して制御部１２に入力されるから、制御部１２は、図５のプログラムフローチャートに従って動作することができる。
【００３１】
図５において、プログラムは、まず、テレビ受像機ＴＶの主電源がオフであるか否か、すなわち、リレー１７がオフであるか否かを確認する（図５のプログラムステップ（１）、以下、単に（１）のように記す）。テレビ受像機ＴＶの主電源がオフであるときは（１）、リレー１７をオンさせてテレビ受像機ＴＶの主電源をオンするが（２）、テレビ受像機ＴＶの主電源が既にオン中であるときは（１）、リレー１７を一旦オフにしてオンさせることにより、テレビ受像機ＴＶの主電源をオフしてオンする（３）。なお、テレビ受像機ＴＶは、主電源をオンすることにより、外部入力モードに選択され、第１の外部入力端子が自動的に選択されるように設定されている。そこで、以後、チューナ１３を介して緊急放送用の緊急チャンネルを選択すれば（４）、テレビ受像機ＴＶは、ネットワークＮを介してセンタ装置から緊急チャンネルを通して送出される緊急放送の画像を放映して視聴させることができる（図６）。
【００３２】
端末ユニット１０の制御部１２は、ネットワークＮを介してセンタ装置から緊急放送の終了信号を受信すると、たとえば図７のプログラムフローチャートに従って作動する。
【００３３】
プログラムは、まず、チューナ１３を介し、終了画像放送用の終了チャンネルを選択する（図７のプログラムステップ（１）、以下、単に（１）のように記す）。そこで、このときのテレビ受像機ＴＶは、終了チャンネルを通してセンタ装置から送出される終了画像を放映して視聴させることができる（図８）。つづいて、プログラムは、適切な所定時間の経過を待った上（２）、チューナ１３を介し、案内画像放送用の案内チャンネルを選択することにより（３）、テレビ受像機ＴＶを介して、ホテルなどの施設からの案内メッセージを表示する案内画像を所定時間だけ放映して視聴させる（（４）、図９）。その後、プログラムは、リレー１７をオンまたはオフにすることにより、緊急放送の開始信号の受信前の状態にテレビ受像機ＴＶの主電源を復元して（５）、終了する。
【００３４】
図５、図７の一連の動作をまとめて図示すると、図１０のとおりである。また、図６、図８、図９は、それぞれ緊急放送の画像、終了画像、案内画像の静止画像の一例であるが、これらの全部または一部は、動画像としてもよく、音声情報を伴うものであってもよい。さらに、図５において、プログラムステップ（４）は、プログラムステップ（１）の前に移動し、テレビ受像機ＴＶの主電源をオンオフ制御するに先き立って実行してもよく、図７において、プログラムステップ（１）、（２）、プログラムステップ（３）、（４）の各組は、いずれか一方の組を省略し、他方の組のみとしてもよい。また、図７において、プログラムステップ（３）、（４）の組を省略するときは、センタ装置から、ＣＡＴＶシステム内の端末装置の全部または一部に対して案内開始信号を送出することにより、図５の緊急放送の画像の表示手順に倣って、またはビデオ処理部１４のＯＳＤ機能を利用して、必要な案内画像をテレビ受像機ＴＶに表示させることも可能である。
【他の実施の形態】
【００３５】
ＣＡＴＶシステムの端末装置は、同軸ケーブルのネットワークＮを介して配信される一般放送を視聴可能なテレビ受像機ＴＶと、ＬＡＮケーブルのネットワークＬＮを介し、要求に応じて配信される自主放送のデータをＡＶ信号Ｓに変換して出力する端末ユニット１０とを組み合わせて構成することができる（図１１、図１２）。なお、ネットワークＮは、図示しないセンタ装置に接続されており、ネットワークＬＮは、図示しないセンタ側のサーバ装置に接続されている。また、テレビ受像機ＴＶ、リモートコントローラ形の操作器２０の構成、動作は、図１、図２のそれと基本的に同一である。
【００３６】
端末ユニット１０は、チューナ１３に代えてコンテンツデコーダ１３ａを備えており、モデム１５、分配器１６に代えて、双方向のＬＡＮインタフェース１５ａを備えている。その他の点は、図１、図２に示すものと同一である。なお、制御部１２、コンテンツデコーダ１３ａは、映像複合ＩＣとして、いわゆるメディアプロセッサを形成していてもよい。
【００３７】
テレビ受像機ＴＶは、ネットワークＮを介して配信される一般放送の全チャンネルを視聴することができる。一方、操作器２０を介して自主放送のチャンネルが選択されると、テレビ受像機ＴＶは、図４のプログラムステップ（１）、（３）に従って、外部入力モードに選択された上、第１の外部入力端子が選択される。また、端末ユニット１０の制御部１２は、図４のプログラムステップ（２）に呼応して、ＬＡＮインタフェース１５ａ、ネットワークＬＮを介し、選択された自主放送のチャンネル相当のデータをサーバ装置に対して要求する。
【００３８】
そこで、制御部１２は、要求に応じてサーバ装置からネットワークＬＮを介して配信される自主放送のデータを受信すると、コンテンツデコーダ１３ａを介してデコードし、ビデオ処理部１４を介してＡＶ信号Ｓに変換してテレビ受像機ＴＶの第１の外部入力端子に出力することにより、テレビ受像機ＴＶを介して自主放送の番組を視聴させることができる。なお、必要な課金処理については、図１、図２におけると同様にして、サーバ装置において処理し、または管理することができる。
【００３９】
端末ユニット１０の制御部１２は、ネットワークＬＮ、ＬＡＮインタフェース１５ａを介してサーバ装置から緊急放送の開始信号を受信すると、図１３のプログラムフローチャートに従って作動する。プログラムは、まず、テレビ受像機ＴＶの主電源のオンオフ状態をチェックし（図１３のプログラムステップ（１）、以下、単に（１）のように記す）、リレー１７を介してテレビ受像機ＴＶの主電源をオンオフ制御することにより（（２）、（３））、テレビ受像機ＴＶを外部入力モードに選択するとともに第１の外部入力端子を選択させる。つづいて、プログラムは、サーバ装置に対して緊急放送の画像データを要求し（４）、要求に応じて配信される画像データをＡＶ信号に変換して出力することにより（５）、テレビ受像機ＴＶを介して緊急放送の画像を視聴させる。
【００４０】
また、端末ユニット１０の制御部１２は、サーバ装置からの緊急放送の終了信号を受信すると、図１４のプログラムフローチャートに従って作動する。すなわち、プログラムは、まず、サーバ装置に対して緊急放送の終了画像のデータを要求し（図１４のプログラムステップ（１）、以下、単に（１）のように記す）、要求に応じて配信される終了画像のデータをＡＶ信号Ｓに変換して出力することにより（２）、所定時間だけテレビ受像機ＴＶを介して終了画像を視聴させる（３）。その後、サーバ装置に対して案内画像のデータを要求し（４）、要求に応じて配信される案内画像のデータをＡＶ信号Ｓに変換して出力することにより（５）、所定時間だけテレビ受像機ＴＶを介して視聴させた上（６）、リレー１７を介し、テレビ受像機ＴＶの主電源を緊急放送の受信前の状態に復元して（７）、終了する。
【００４１】
なお、図１３、図１４の動作は、図１５のようにまとめることができる。また、図１３のプログラムステップ（５）による緊急放送の画像、図１４のプログラムステップ（２）、（５）による終了画像、案内画像は、それぞれ図６、図８、図９に例示するとおりであり、図１、図２の端末ユニット１０について述べたように、適宜変更してよいものとする。さらに、図１３のプログラムステップ（４）、（５）は、プログラムステップ（１）の前に移動してもよく、図１４のプログラムステップ（１）〜（３）、プログラムステップ（４）〜（６）の各組は、いずれか一方の組を省略してもよい。また、図１４において、プログラムステップ（４）〜（６）の組を省略するときは、サーバ装置から、ＣＡＴＶシステム内の端末装置の全部または一部に対して案内開始信号を送出することにより、図１３の緊急放送の画像の表示手順に倣って、またはビデオ処理部１４のＯＳＤ機能を利用して、必要な案内画像をテレビ受像機ＴＶに表示させることも可能である。
【図面の簡単な説明】
【００４２】
【図１】全体構成ブロック系統図
【図２】要部詳細ブロック系統図
【図３】操作器の表面図
【図４】プログラムフローチャート（１）
【図５】プログラムフローチャート（２）
【図６】緊急放送の画像の例図
【図７】プログラムフローチャート（３）
【図８】終了画像の例図
【図９】案内画像の例図
【図１０】総合動作フロー図
【図１１】他の実施の形態を示す図１相当図
【図１２】他の実施の形態を示す図２相当図
【図１３】他の実施の形態を示す図４相当図
【図１４】他の実施の形態を示す図７相当図
【図１５】他の実施の形態を示す図１０相当図
【符号の説明】
【００４３】
Ｎ…同軸ケーブルのネットワーク
ＬＮ…ＬＡＮケーブルのネットワーク
ＴＶ…テレビ受像機
Ｓ…ＡＶ信号
１０…端末ユニット
１７…リレー
特許出願人          北菱電興株式会社
代理人  弁理士        松  田  忠  秋
【図１】
2008092245.tif 000003
【図２】
2008092245.tif 000004
【図３】
2008092245.tif 000005
【図４】
2008092245.tif 000006
【図５】
2008092245.tif 000007
【図６】
2008092245.tif 000008
【図７】
2008092245.tif 000009
【図８】
2008092245.tif 000010
【図９】
2008092245.tif 000011
【図１０】
2008092245.tif 000012
【図１１】
2008092245.tif 000013
【図１２】
2008092245.tif 000014
【図１３】
2008092245.tif 000015
【図１４】
2008092245.tif 000016
【図１５】
2008092245.tif 000017